(57)【要約】【課題】家庭用薄葉紙の残量にかかわらず、家庭用薄葉紙の取り出しが容易な家庭用薄葉紙収納容器を提供する。【解決手段】家庭用薄葉紙収納容器１００において、家庭用薄葉紙Ｐを前後方向に複数積層して収納するとともに、上部に家庭用薄葉紙Ｐを取り出すための開口部１０ａを有する容器本体１０と、容器本体１０の後面部１０ｂ側に回動可能に設けられた蓋部２０と、蓋部２０の開動作及び閉動作に連動して移動する可動部４０とを備え、可動部４０を、蓋部２０の開動作に連動して家庭用薄葉紙Ｐを容器本体１０の前側に押圧するように移動させるとともに、蓋部２０の閉動作に連動して家庭用薄葉紙Ｐに対する前側への押圧を解除するように移動させる。【選択図】図８
2010228765.tif 000002
【特許請求の範囲】
【請求項１】
家庭用薄葉紙を前後方向に複数積層されるように内部に収納するとともに、上部に当該家庭用薄葉紙を取り出すための開口部を有する容器本体と、
前記容器本体の後面部側に回動可能に設けられ、前記開口部を開閉自在とする蓋部と、
前記蓋部の開動作及び閉動作に連動して移動する可動部と、
を備え、
前記可動部は、前記蓋部の開動作に連動して、前記家庭用薄葉紙を前記容器本体の前側に押圧するように移動するとともに、前記蓋部の閉動作に連動して、前記家庭用薄葉紙に対する前側への押圧を解除するように移動することを特徴とする家庭用薄葉紙収納容器。
【請求項２】
前記可動部は、板部材により形成されるとともに、前記蓋部に連結され、
前記蓋部を開く際に、前記可動部が、最後部の前記家庭用薄葉紙の後面に当接して、当該家庭用薄葉紙を前記容器本体の前面部側に押圧することを特徴とする請求項１に記載の家庭用薄葉紙収納容器。
【請求項３】
前記家庭用薄葉紙を前記容器本体の後側に押す後側押部を備えることを特徴とする請求項１又は２に記載の家庭用薄葉紙収納容器。
【請求項４】
前記容器本体の内側の底部は、当該容器本体の前記前面部側から前記後面部側に向かって下方に傾斜していることを特徴とする請求項１〜３の何れか一項に記載の家庭用薄葉紙収納容器。
【発明の詳細な説明】
【技術分野】
【０００１】
本発明は、家庭用薄葉紙収納容器に関する。
【背景技術】
【０００２】
従来、家屋の床やトイレ、または人体などを拭くためのウェットシートやウェットティッシュなどの家庭用薄葉紙を収納する家庭用薄葉紙収納容器（以下、容器という。）が知られている。容器は、家庭用薄葉紙を収納する容器本体と、容器本体内に収納された家庭用薄葉紙を取り出すための取出口を塞ぐ蓋とを備え、蓋を開けることで取出口から家庭用薄葉紙を取り出すことができるようになっている。
【０００３】
また、容器の底面に、折り曲げ可能な部材を配設し、容器内の内容物が残り少なくなった場合に、使用者が該部材を折り曲げることで、折り曲げられた該部材により内容物が取出口の方向に持ち上げられ、取出口から内容物が取り出しにくくなることを防止する容器が知られている（例えば特許文献１参照）。
また、容器内に、載置された内容物の重量に合わせて載置面の高さが変化し、内容物の重量が減るにつれて載置面が上方向に移動していく載置部材を設けることで、内容物の残量が少なくなった場合でも内容物を取り出し易くする容器が提案されている（例えば特許文献２参照）。
【先行技術文献】
【特許文献】
【０００４】
【特許文献１】特開２００１−２４０１６２号公報
【特許文献２】特開２００５−２４７３９５号公報
【発明の概要】
【発明が解決しようとする課題】
【０００５】
ところが、上記特許文献１の容器では、容器の底面に設けられた部材を使用者自身が折り曲げる必要があるため、手間がかかって面倒であるという難点があった。これに対し、上記特許文献２の容器では、内容物が減少するにしたがって、内容物が自重によって自動的に取出口の方向に移動するため、使用者が内容物を押し上げるための何らかの作業を行う必要がない。
【０００６】
しかしながら、特許文献２の容器では、家庭用薄葉紙の自重のみによって載置面の高さを変化させる構造であるため、積層された家庭用薄葉紙を横にして収納するタイプの容器には好適であるが、積層された家庭用薄葉紙を縦にして収納するタイプの容器では、家庭用薄葉紙の重量が減ると積載面が高くなり、積載面に載置された家庭用薄葉紙が倒れてしまったり、折れ曲がってしまい、家庭用薄葉紙が取り出しにくくなってしまうという問題があった。
【０００７】
本発明の課題は、家庭用薄葉紙の残量にかかわらず、容器内に前後方向に積層されるように収納された家庭用薄葉紙の取り出しを容易に行うことができる家庭用薄葉紙収納容器を提供することである。
【課題を解決するための手段】
【０００８】
上記課題を解決するため、請求項１に記載の発明は、家庭用薄葉紙収納容器であって、
家庭用薄葉紙を前後方向に複数積層されるように内部に収納するとともに、上部に当該家庭用薄葉紙を取り出すための開口部を有する容器本体と、
前記容器本体の後面部側に回動可能に設けられ、前記開口部を開閉自在とする蓋部と、
前記蓋部の開動作及び閉動作に連動して移動する可動部と、
を備え、
前記可動部は、前記蓋部の開動作に連動して、前記家庭用薄葉紙を前記容器本体の前側に押圧するように移動するとともに、前記蓋部の閉動作に連動して、前記家庭用薄葉紙に対する前側への押圧を解除するように移動することを特徴とする。
【０００９】
請求項２に記載の発明は、請求項１に記載の家庭用薄葉紙収納容器において、
前記可動部は、板部材により形成されるとともに、前記蓋部に連結され、
前記蓋部を開く際に、前記可動部が、最後部の前記家庭用薄葉紙の後面に当接して、当該家庭用薄葉紙を前記容器本体の前面部側に押圧することを特徴とする。
【００１０】
請求項３に記載の発明は、請求項１又は２に記載の家庭用薄葉紙収納容器において、
前記家庭用薄葉紙を前記容器本体の後側に押す後側押部を備えることを特徴とする。
【００１１】
請求項４に記載の発明は、請求項１〜３の何れか一項に記載の家庭用薄葉紙収納容器において、前記容器本体の内側の底部は、当該容器本体の前記前面部側から前記後面部側に向かって下方に傾斜していることを特徴とする。
【発明の効果】
【００１２】
本発明によれば、蓋部の開動作及び閉動作に連動して移動する可動部が備わり、蓋部の開動作に連動して、可動部により、容器本体の内部に前後方向に積層されて収納された家庭用薄葉紙が容器本体の前側に押圧され、蓋部の閉動作に連動して、可動部材による家庭用薄葉紙に対する容器本体の前側への押圧が解除される。
すなわち、蓋部を開く際には、可動部によって家庭用薄葉紙が容器本体の前側に押圧されるため、家庭用薄葉紙が容器本体の前側に移動し、容器本体の内部に収納された家庭用薄葉紙の残量が少なくなった場合でも、容器本体の上部に設けられた開口部から家庭用薄葉紙を容易に取り出すことができる。したがって、家庭用薄葉紙収納容器において、家庭用薄葉紙の残量にかかわらず、容器内に前後方向に積層されるように収納された家庭用薄葉紙を容易に取り出すことができる。
【図面の簡単な説明】
【００１３】
【図１】第１の実施形態の家庭用薄葉紙収納容器の蓋部が開けられた状態を示す前方斜視図である。
【図２】第１の実施形態の家庭用薄葉紙収納容器の蓋部が開けられた状態を示す後方斜視図である。
【図３】第１の実施形態の家庭用薄葉紙収納容器の蓋部が閉じられた状態を示す前方斜視図である。
【図４】第１の実施形態の家庭用薄葉紙収納容器の蓋部が閉じられた状態を示す後方斜視図である。
【図５】図５（ａ）は、第１の実施形態の家庭用薄葉紙収納容器の容器本体から蓋部を取り外した分解斜視図であり、図５（ｂ）は、取り外された蓋部の裏側（内面側）を示す斜視図である。
【図６】図３のVI−VI線における側面断面図であり、容器本体の内部に複数の家庭用薄葉紙が収納されている状態を示している。
【図７】容器本体の内部に複数の家庭用薄葉紙が収納されている状態を示す前方斜視図である。
【図８】図７のVIII−VIII線における側面断面図である。
【図９】第２の実施形態の家庭用薄葉紙収納容器の蓋部が開かれた状態を示す側面断面図である。
【図１０】第２の実施形態の家庭用薄葉紙収納容器の蓋部が閉じられた状態を示す側面断面図である。
【発明を実施するための形態】
【００１４】
以下、本発明に係る実施の形態を図面に基づいて説明する。なお、発明の範囲は図示例に限定されない。
【００１５】
[第１の実施形態]
まず、第１の実施形態の家庭用薄葉紙収納容器について、図１〜図８を参照しながら説明する。
【００１６】
本実施形態の家庭用薄葉紙収納容器１００は、図１から図８に示すように、上部に開口部１０ａが設けられ、内部に家庭用薄葉紙Ｐを収納するための容器本体１０と、容器本体１０の後面部１０ｂ側にヒンジ機構部３０を介して回動可能に備えられ、開口部１０ａを開閉自在とする蓋部２０と、容器本体１０と蓋部２０を離間させる方向に付勢するねじりコイルばね３１と、蓋部２０に設けられ、蓋部２０の開動作及び閉動作に連動して移動する可動部４０と、を備える。
【００１７】
家庭用薄葉紙収納容器１００は、蓋部２０が閉じられた状態で箱体状に形成されており、容器本体１０の内部に、ウェットシートやウェットティッシュなどのウェットタイプの家庭用薄葉紙Ｐやティシュ−ペーパー、キッチンペーパー、ペーパータオルなどの乾式の家庭用薄葉紙Ｐを、前後方向に複数積層された状態で収容する（図６参照）。
容器本体１０は、前面部１０ｃ側の高さが後面部１０ｂ側の高さより低く形成されている。また、容器本体１０の上部に設けられた開口部１０ａは、内部に収納された家庭用薄葉紙Ｐを取り出すための取出口をなしており、蓋部２０が閉じられた場合に塞がれ（閉じ）、蓋部２０が開かれた場合に露出する（開く）。使用者は、蓋部２０を開くことで開口部１０ａを露出させ、開口部１０ａの前方側から容器本体１０の内部に収納された家庭用薄葉紙Ｐの取り出しを行う。
【００１８】
容器本体１０と蓋部２０は、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）などの製造方法によって成形されて成る。
【００１９】
容器本体１０の後面部１０ｂの開口部１０ａ近傍には、容器ヒンジ部１１が形成されており、蓋部２０の後面側には、蓋ヒンジ部２１が形成されている。そして、容器ヒンジ部１１の軸穴１１ａに蓋ヒンジ部２１の軸突起２１ａを係入して、容器ヒンジ部１１と蓋ヒンジ部２１とを取り付けることによって、容器ヒンジ部１１と蓋ヒンジ部２１とが連結されてなるヒンジ機構部３０が構成されている。
【００２０】
また、蓋ヒンジ部２１には筒部２２が備えられており、その筒部２２の内側にねじりコイルばね３１が装着されている。ねじりコイルばね３１は、蓋部２０を容器本体１０から離間させる方向に付勢しており、ねじりコイルばね３１によって、蓋部２０がヒンジ機構部３０の軸心周りに回動するように押し上げられることで（蓋部２０の開動作）、蓋部２０が開くようになっている。反対に、ねじりコイルばね３１の付勢力に抗して、蓋部２０をヒンジ機構部３０の軸心周りに回動するように押え付けることで（蓋部２０の閉動作）、蓋部２０が閉じるようになっている。
【００２１】
一方、容器本体１０の開口部１０ａの周縁部１５には、蓋部２０が閉じられた際に、蓋部２０の周縁部２５が嵌入する溝部１６（図８参照）が形成されている。また、容器本体１０の前面部１０ｃの開口部１０ａ近傍には、係合部１３が形成されており、蓋部２０の前面側には、係合部１３と係合可能な係止部２３が形成されている。
そして、蓋部２０を閉動作させ、蓋部２０の周縁部２５を溝部１６に嵌入させて、容器本体１０側の係合部１３と蓋部２０側の係止部２３とを係合させることにより、蓋部２０によって開口部１０ａが塞がれた状態で、蓋部２０が容器本体１０側に保持されるようになっている。
【００２２】
また、容器本体１０の前面部１０ｃの外面側であって開口部１０ａ近傍には、前方に突出する挟持部１２が備えられており、挟持部１２には、係合解除部材１４がその配置を変更可能に軸支されて配設されている。係合解除部材１４と挟持部１２とを挟持すると、係合解除部材１４の一端部が挟持部１２に近接する方向に揺動する。すると、係合解除部材１４の他端部が蓋部２０の押上突起２４を押し上げて、係止部２３と係合部１３の係合が解除されることとなる。これにより、蓋部２０がねじりコイルばね３１の付勢力によって押し上げられて開動作し、蓋部２０が開くようになっている。
【００２３】
また、図６に示すように、容器本体１０の底部１０ｄは、容器本体１０の前面部１０ｃ側から後面部１０ｂ側に向かって下方に傾斜しており、その底部１０ｄには、左右方向に延在する複数の突部１０ｅが平行に形成されている。
底部１０ｄの傾斜角度は、１０°〜２０°程度が好ましい。また、突部１０ｅは、１〜４ｍｍ程度の高さを有する突状体であり、前後方向に５〜１５ｍｍの間隔で形成されている。
このように、容器本体１０の底部１０ｄが、容器本体１０の前面部１０ｃ側から後面部１０ｂ側に向かって下方に傾斜するように形成されるとともに、底部１０ｄに左右方向の突部１０ｅが複数形成されることで、図６に示すように、蓋部２０を閉じた状態において、容器本体１０の内部に前後方向に積層されるように収納された家庭用薄葉紙Ｐが、載置面である底部１０ｄの傾斜に沿って、容器本体１０の後面部１０ｂに寄り掛かるように斜めに収納されるようになっている（以下、この位置を「収納位置」という）。
なお、蓋部２０が閉じられた状態で家庭用薄葉紙Ｐが収納される収納位置はこれに限られず、家庭用薄葉紙Ｐを略垂直に立てるように縦向きに収納することとしてもよい。
【００２４】
可動部４０は、例えば、平板状の板ばね（板部材）により構成され、図１や図６等に示すように、蓋部２０の容器本体１０側の面２０ａに左右方向に並んで２つ配設されている。各可動部４０は、矩形状をなし、略同一のばね係数を有している。また、各可動部４０は、蓋部２０の中心を通る前後方向の直線に対して等距離の位置に、蓋部２０を閉じた状態にて、各可動部４０の前面４０ａが容器本体１０の前面部１０ｃ側に対向し、且つ、各可動部４０の長辺が下方に延出するように配設されている。さらに、各可動部４０は、蓋部２０を閉じた状態にて、蓋部２０の容器本体１０側の面２０ａにおける後面寄りの位置に配設されており、蓋部２０を閉じた際に、可動部４０の前方に家庭用薄葉紙Ｐの収納空間が確保されるようになっている。
なお、可動部４０は、図６及び図８に示すように、蓋部２０と一体に成形されたものであってもよく、または、後加工により蓋部２０に取り付けられたものであってもよい。
【００２５】
これらの可動部４０は、蓋部２０の開動作と閉動作に連動して移動することで、蓋部２０の開閉時に、容器本体１０の内部に収納されている家庭用薄葉紙Ｐの位置を変動させるようになっている。
【００２６】
具体的には、蓋部２０が閉じた状態では、前述したように、容器本体１０内の家庭用薄葉紙Ｐが、容器本体１０の後面部１０ｂに寄り掛かるように後傾した状態で収納されている（図６）。そして、蓋部２０が閉じた状態（図６）から、開口部１０ａを露出させるように蓋部２０が開動作すると、閉蓋時において蓋部２０の容器本体１０側の面２０ａから垂下していた可動部４０が、蓋部２０によって後側斜め上方に引き上げられるように移動する。そして、収納位置に収納されている家庭用薄葉紙Ｐの束のうちの最後部の家庭用薄葉紙Ｐの後面に、可動部４０の端部４０ｂ又は前面４０ａが当接し、家庭用薄葉紙Ｐの束を容器本体１０の前面部１０ｃ側（前側）に押圧する。
すると、容器本体１０の内部において容器本体１０の後面部１０ｂ側に寄り掛かるように斜めに収納されていた家庭用薄葉紙Ｐが、図７及び図８に示すように、後方側から作用する可動部４０の押圧力によって、容器本体１０の前面部１０ｃ側に寄り掛かるように斜め前方に倒れる。そして、前後方向に積層された家庭用薄葉紙Ｐの上端部が、容器本体１０の前方の使用者側に突出する。
【００２７】
すなわち、使用者が、容器本体１０の内部に収納された家庭用薄葉紙Ｐを取り出すために蓋部２０を開けると、蓋部２０の開動作に連動して、蓋部２０における容器本体１０側の面２０ａに配設されている可動部４０が、その端部４０ｂや前面４０ａを最後部の家庭用薄葉紙Ｐの後面に当接させるように移動し、家庭用薄葉紙Ｐの束を容器本体１０の前面部１０ｃ側に押し付けて前傾させる（以下、この位置を「取り出し位置」という）。これにより、前側に積層されている家庭用薄葉紙Ｐの上端部が、使用者側に突出することとなり、使用者が、家庭用薄葉紙Ｐの上端部を掴んで、容器本体１０の内部から取り出し易くなる。
【００２８】
また、このとき、容器本体１０は、その前面部１０ｃ側の高さが後面部１０ｂ側の高さより低く形成されているため、前面部１０ｃの高さが低く形成された分だけ、容器本体１０の前面部１０ｃ側から使用者側に突出する家庭用薄葉紙Ｐの上端部側の長さが多くなっており、家庭用薄葉紙Ｐが更に掴み易く、取り出し易いものとなっている。
【００２９】
また、可動部４０は、弾性変形可能な板ばねにより構成されているため、家庭用薄葉紙Ｐの後面に当接すると、家庭用薄葉紙Ｐからの反発力の作用により弾性変形し、家庭用薄葉紙Ｐと面接触することとなる。そのため、家庭用薄葉紙Ｐ側に作用する押圧力が分散するとともに、より広い面で家庭用薄葉紙Ｐを押圧することができ、家庭用薄葉紙Ｐをより安定した状態で容器本体１０の前面部１０ｃ側に前傾させることができる。また、可動部４０として、板ばねのような可撓性を有する部材を使用することで、可撓性を有しない部材を使用した場合と比較して、家庭用薄葉紙Ｐの残量や材質に応じた適度な力で家庭用薄葉紙Ｐを容器本体１０の前面部１０ｃ側に押し付けることができる。
【００３０】
さらに、容器本体１０の底部１０ｄには、容器の前面部１０ｃ側から後面部１０ｂ側に下る傾斜が付けられているため、家庭用薄葉紙Ｐの束が容器本体１０の前面部１０ｃ側に寄り掛かるように前傾した際に、各家庭用薄葉紙Ｐの上端部の高さ位置が後方側から前方側にかけて徐々に高くなり、最前部の家庭用薄葉紙Ｐの上端部が最も高い位置に突出する。これにより、最前部に位置する家庭用薄葉紙Ｐの上端部が更に掴み易くなり、容器本体１０の内部に収納された家庭用薄葉紙Ｐの取り出し易さが更に高められている。
【００３１】
一方、蓋部２０が開いた状態（図７、図８）から、開口部１０ａを塞ぐように蓋部２０が閉動作すると、開蓋時において蓋部２０によって後側斜め上方に引き上げられていた可動部４０が、蓋部２０に連動して、家庭用薄葉紙Ｐから離間する方向に移動して、元の位置（蓋部２０の容器本体１０側の面２０ａから垂下する位置）に戻り、家庭用薄葉紙Ｐに可動部４０による容器本体１０の前面部１０ｃ側への押圧力が作用しないこととなる。
すると、傾斜面である容器本体１０の底部１０ｄに載置され、可動部４０の押圧力によって容器本体１０の前面部１０ｃ側に寄り掛かるように前倒していた家庭用薄葉紙Ｐが、容器本体１０の底部１０ｄの傾斜によって、容器本体１０の後面部１０ｂ側に寄り掛かるように斜め後方に倒れ、図６に示すように、再び元の収納位置に戻ることとなる。
【００３２】
すなわち、使用者が、家庭用薄葉紙Ｐの取り出し後に蓋部２０を閉じると、蓋部２０の閉動作に連動して、蓋部２０の容器本体１０側の面２０ａに配設されている可動部４０が、家庭用薄葉紙Ｐの束を容器本体１０の前面部１０ｃ側に押圧しない位置に移動して、取り出し位置にあった家庭用薄葉紙Ｐの束が再び収納位置に戻ることとなる。家庭用薄葉紙Ｐが収納位置にある状態、すなわち、家庭用薄葉紙Ｐが容器本体１０の後面部１０ｂ側に後傾した状態（図６）では、家庭用薄葉紙Ｐの上端部が使用者側に突出しないため、容器本体１０と蓋部２０の間に家庭用薄葉紙Ｐが挟まってしまうというトラブルが発生せず、蓋部２０をスムーズに閉めることができる。
【００３３】
また、底部１０ｄには複数の突部１０ｅが左右方向に形成されているため、家庭用薄葉紙Ｐの下端部が、これらの突部１０ｅに当接し引っ掛かることによって、家庭用薄葉紙Ｐが底部１０ｄの傾斜に沿ってずれにくくなるので、蓋部２０を閉じる際に、家庭用薄葉紙Ｐが容器本体１０の後面部１０ｂ側に後傾し易くなるとともに、家庭用薄葉紙Ｐをより安定した姿勢で収納することができる。
【００３４】
以上に説明した第１の実施形態の家庭用薄葉紙収納容器１００によれば、蓋部２０を開く際には、蓋部２０の開動作に連動して、蓋部２０に連結された可動部４０が、容器本体１０の内部に収納された最後部の家庭用薄葉紙Ｐの後面に当接し、家庭用薄葉紙Ｐを容器本体１０の前面部１０ｃ側に押圧するように移動して家庭用薄葉紙Ｐを容器本体１０の前面部１０ｃ側に前傾させる。一方、蓋部２０を閉める際には、蓋部２０の閉動作に連動して、蓋部２０に連結された可動部４０が、家庭用薄葉紙Ｐから離間する方向に移動し、家庭用薄葉紙Ｐに容器本体１０の前面部１０ｃ側に押圧する力が作用しないこととなる。
すなわち、使用者が家庭用薄葉紙Ｐを取り出す際に蓋部２０を開くと、蓋部２０の開動作に連動して、容器本体１０の内部に前後方向に積層されるように収納されている家庭用薄葉紙Ｐが、容器本体１０の前面部１０ｃ側に寄り掛かるように前傾して前方に突出し、自動的に、使用者によって掴み易い取り出し位置に移動するため、容器本体１０の内部から家庭用薄葉紙Ｐの取り出しを容易に行うことが可能となる。
【００３５】
また、容器本体１０の底部１０ｄが、容器本体１０の前面部１０ｃ側から後面部１０ｂ側に向かって下方に傾斜しているため、蓋部２０を閉める際に、可動部４０による容器本体１０の前面部１０ｃ側への押圧力から開放された家庭用薄葉紙Ｐが、容器本体１０の後面部１０ｂ側に寄り掛かるように斜めに倒れ、自動的に、蓋部２０と容器本体１０との間に挟まれない収納位置に移動する。
したがって、家庭用薄葉紙収納容器１００において、蓋部２０を閉める際に、蓋部２０と容器本体１０との間に家庭用薄葉紙Ｐが挟まれるというトラブルを防止することができ、蓋部２０をスムーズに閉めることができる。
すなわち、家庭用薄葉紙収納容器１００において、蓋部２０の開閉に応じて、容器本体１０の内部に収納された家庭用薄葉紙Ｐが、家庭用薄葉紙Ｐの取り出しが容易な取り出し位置と、蓋部２０をスムーズに閉めることが可能な収納位置との間で移動することとなり、使用者にとって使い勝手の良いものとなる。
【００３６】
[第２の実施形態]
次に、第２の実施形態の家庭用薄葉紙収納容器について説明する。なお、以下では、上記第１の実施形態と同じ又は類似の構成には同一符号を付すとともにその説明を省略し、第１の実施形態と異なる部分についてのみ説明する。
【００３７】
第２の実施形態の家庭用薄葉紙収納容器２００は、図９及び図１０に示すように、上記第１の実施形態の家庭用薄葉紙収納容器１００の構成に加え、更に、容器本体１０の前面部１０ｃの内周面に、容器本体１０の内部に収納された家庭用薄葉紙Ｐを容器本体１０の後側に押す後側押部５０を備えている。
【００３８】
後側押部５０は、例えば、コイルばねにより構成され、図示は省略するが、略同一のばね係数を有する２つのコイルばねが、容器本体１０の前面部１０ｃの中心を通る上下方向の直線に対して等距離の位置に配設されている。
これらの後側押部５０は、容器本体１０の内部に収納された家庭用薄葉紙Ｐのうちの最前部の家庭用薄葉紙Ｐの前面に当接し、容器本体１０の内部に収納されている家庭用薄葉紙Ｐの束を容器本体１０の後面部１０ｂ側に付勢している。
また、後側押部５０としての２つのコイルばねは、蓋部２０が開かれる際に、可動部４０が家庭用薄葉紙Ｐを容器本体１０の前面部１０ｃ側に押圧する押圧力よりも小さい力で、家庭用薄葉紙Ｐを付勢している。
【００３９】
そのため、図９に示すように、蓋部２０が開かれて、可動部４０が最後部の家庭用薄葉紙Ｐの後面に当接して、家庭用薄葉紙Ｐの束を容器本体１０の前面部１０ｃ側に押圧した場合であっても、後側押部５０が家庭用薄葉紙Ｐを介して作用する可動部４０の押圧力によって縮退し、家庭用薄葉紙Ｐが後側押部５０の付勢力に抗して容器本体１０の前面部１０ｃ側に寄り掛かるように前傾することとなる。
【００４０】
一方、図１０に示すように、蓋部２０が閉じられて、可動部４０による家庭用薄葉紙Ｐの容器本体１０の前面部１０ｃ側への押圧が解除された場合には、後側押部５０に可動部４０による押圧力が作用しない状態となるため、後側押部５０が復元力により後方に延伸し、家庭用薄葉紙Ｐを容器本体１０の後面部１０ｂ側に付勢する。
すると、後側押部５０によって、家庭用薄葉紙Ｐが容器本体１０の後面部１０ｂ側に付勢され、よりスムーズに、容器本体１０の後面部１０ｂ側に寄り掛かるように後傾することとなる。このように、蓋部２０を閉じる際に、後側押部５０の付勢力によって、家庭用薄葉紙Ｐが蓋部２０と容器本体１０との間に挟まれない収納位置に素早く且つ確実に移動するため、蓋部２０をよりスムーズに閉めることができる。
【００４１】
以上に説明した第２の実施形態の家庭用薄葉紙収納容器２００によれば、後側押部５０が、容器本体１０の内部に収納された家庭用薄葉紙Ｐを容器本体１０の後面部１０ｂ側に付勢するため、蓋部２０を閉める際に、後側押部５０によって家庭用薄葉紙Ｐが容器本体１０の後面部１０ｂ側に付勢され、容器本体１０の前面部１０ｃ側に前傾していた家庭用薄葉紙Ｐが蓋部２０と容器本体１０との間に挟まれない収納位置に、より素早く且つ確実に移動することとなり、蓋部２０をより容易に閉めることが可能となる。
【００４２】
なお、本発明は上記実施形態に限られず、本発明の趣旨を逸脱しない範囲において、種々の改良並びに設計の変更を行ってもよい。
【００４３】
例えば、上記実施の形態においては、可動部４０を２枚の板ばねにより構成する場合について説明したが、可動部は、板ばね等の板部材にかぎられることなく、少なくとも蓋部を開く際に容器本体の内部に収納された家庭用薄葉紙の後面に当接して、家庭用薄葉紙を前側に押圧可能なものである限り、任意の部材を用いることができる。また、可動部は、弾性部材でなくともよい。さらに、可動部の数や形状も任意である。
【００４４】
また、上記実施の形態においては、可動部４０が蓋部２０の容器本体１０側の面２０ａに連結されている場合について説明したが、可動部の配置位置はこれに限られず、蓋部の開動作及び閉動作と連動して移動可能であれば、何れの位置に設けてもよい。例えば、容器本体の後面部側に、蓋部と連結部材を介して結合され、蓋部の開閉時に、蓋部に連動して突出または後退することで、家庭用薄葉紙を前傾または後傾させる可動部を設けることとしてもよい。
【００４５】
また、上記第２の実施形態においては、後側押部５０を２つのコイルばねにより構成する場合について説明したが、後側押部はコイルばね等の弾性部材にかぎられることなく、少なくとも蓋部を閉める際に容器本体の内部に収納された家庭用薄葉紙の前面に当接して、家庭用薄葉紙を後側に押すことが可能なものである限り、任意の部材を用いることができる。また、後側押部は、弾性変形が不可能な部材であってもよい。さらに、後側押部の数や形状も任意である。
【００４６】
また、上記第２の実施形態においては、後側押部５０が蓋部２０の容器本体１０の前面部１０ｃの内面部に連結されている場合について説明したが、後側押部の配置位置はこれに限られず、少なくとも蓋部を閉める際に家庭用薄葉紙を容器本体の後側に押すことができれば、何れの位置に設けることとしてもよい。例えば、可動部の先端に、平面視Ｌ字状の部材を設け、蓋部を閉じる際にのみ、該部材を家庭用薄葉紙Ｐの前面に当接させ、家庭用薄葉紙を容器本体の後側に押すこととしてもよい。
【００４７】
また、容器本体の底部が傾斜のない形状であってもよい。
また、家庭用薄葉紙として、例えば、防湿性のシートを略直方体形状に形成した包装体本体に内包された家庭用薄葉紙を用いてもよい。
【００４８】
また、その他、具体的な細部構造等についても適宜に変更可能であることは勿論である。
【符号の説明】
【００４９】
１００  家庭用薄葉紙収納容器
１０  容器本体
１０ａ  開口部
１０ｂ  後面部（後）
１０ｃ  前面部（前）
１０ｄ  底部
２０  蓋部
４０  可動部
２００  家庭用薄葉紙収納容器
５０  後側押部
Ｐ  家庭用薄葉紙
【図１】
2010228765.tif 000003
【図２】
2010228765.tif 000004
【図３】
2010228765.tif 000005
【図４】
2010228765.tif 000006
【図５】
2010228765.tif 000007
【図６】
2010228765.tif 000008
【図７】
2010228765.tif 000009
【図８】
2010228765.tif 000010
【図９】
2010228765.tif 000011
【図１０】
2010228765.tif 000012